(57)【要約】【課題】異なる置き方で設置できる表示領域に、方向や形状の異なる画像を連続的に表示させる場合に、画像の方向や形状が異なっているゆえに、表示領域や設置方向に即した効果的な画像が表示できないことを改善する。【解決手段】画像方向形状判定部１０２は、画像記憶部１０１から画像データを読み込み、画像解析により、画像の天地方向及び縦長／横長の形状とを検知する。表示領域方向形状判定部１０３は、センサからの検出出力から画像表示部１０６の表示領域の天地方向及び縦長／横長の形状を検出する。スライドショーのような連続再生を行う場合、保存されている画像の天地方向及び縦長／横長の形状と、表示領域の天地方向及び縦長／横長の形状とを比較部１０４で比較し、画像選択部１０５で、天地方向及び縦長／横長の形状が合致する画像を選択し、選択した画像のみを表示する。【選択図】図６
2010152631.tif 000002
【特許請求の範囲】
【請求項１】
蓄積された複数の画像を読み出して提示する画像提示方法において、
前記画像を表示する表示領域の方向又は形状の少なくとも一方を判定し、
前記蓄積された画像の方向又は形状の少なくとも一方を判定し、
前記表示領域の方向又は形状と、前記蓄積された画像の方向又は形状のうちの少なくとも一方とを比較し、
前記蓄積された複数の画像の中から、比較結果に基づき表示する画像を選択することを特徴とする画像提示方法。
【請求項２】
前記蓄積された複数の画像の中から、前記表示領域の方向又は形状のうちの少なくとも一方が合致するものを選択することを特徴とする請求項１に記載の画像提示方法。
【請求項３】
前記選択した画像を連続的に提示することを特徴とする請求項１に記載の画像提示方法。
【請求項４】
前記画像及び表示領域の形状は長方形であり、前記表示領域の形状と前記画像の形状との比較を、天地方向に対して縦長であるか横長であるかで行い、前記表示領域の方向と前記画像の方向との比較を、天地方向に対して行うことを特徴とする請求項１又は３に記載の画像提示方法。
【請求項５】
前記天地方向に対して縦長であるか横長であるかの比較を、前記画像の外接四角形の縦辺及び横辺の長さに基づいて行うことを特徴とする請求項４に記載の画像提示方法
【請求項６】
前記表示領域の短辺が天側であると検知したときには、前記蓄積された複数の画像の中から画像の短辺が天側である画像を選択し、前記表示領域の長辺が天側であると判定したときには、前記蓄積された複数の画像の中から画像の長辺が天側である画像を選択することを特徴とする請求項１又は３に記載の画像提示方法。
【請求項７】
前記選択した画像の中で、前記表示領域の天地方向と前記画像の天地方向とが一致しない場合には、前記画像を回転させることを特徴とする請求項４に記載の画像提示方法。
【請求項８】
前記表示領域の短辺が天側であると判定したときには、前記蓄積された複数の画像の中から画像の短辺が天側であり、かつ、前記表示領域の天地方向と前記画像の天地方向とが一致する画像を選択し、
前記表示領域の長辺が天側であると判定したときには、前記蓄積された複数の画像の中から画像の長辺が天側であり、かつ、前記表示領域の天地方向と前記画像の天地方向とが一致する画像を選択する
ことを特徴とする請求項１又は３に記載の画像提示方法。
【請求項９】
前記画像の表示領域の方向は、表示装置に搭載された重力センサにより判定することを特徴とする請求項１に記載の画像提示方法
【請求項１０】
前記画像の表示領域の方向は、設置面を検出するセンサにより判定することを特徴とする請求項１に記載の画像提示方法。
【請求項１１】
前記画像の方向は、画像解析により判定されることを特徴とする請求項１に記載の画像提示方法
【請求項１２】
蓄積された複数の画像を読み出して提示する画像提示装置において、
複数の画像を蓄積する画像記憶手段と、
前記画像を表示する表示領域の方向又は形状の少なくとも一方を判定する表示領域方向形状判定手段と、
前記蓄積された画像の方向又は形状の少なくとも一方を検知する画像方向形状判定手段と、
前記表示領域の方向又は形状と、前記蓄積された画像の方向又は形状とを比較する比較手段と、
前記蓄積された複数の画像の中から、比較結果に基づき表示する画像を選択する選択手段と
を備えたことを特徴とする画像提示装置。
【請求項１３】
複数の画像を蓄積する画像記憶手段を有するサーバと、
画像を表示する画像表示手段と、前記画像を表示する表示領域の方向又は形状の少なくとも一方を判定する表示領域方向形状判定手段と、前記サーバからの画像の方向又は形状の少なくとも一方を判定する画像方向形状判定手段と、前記表示領域の方向又は形状と、前記サーバからの画像の方向又は形状とを比較する比較手段と、前記サーバからの複数の画像の中から、比較結果に基づき表示する画像を選択する選択手段とを有する端末と
で構成されることを特徴とする画像提示システム。
【請求項１４】
複数の画像を蓄積する画像記憶手段と、前記画像記憶手段の画像の方向又は形状の少なくとも一方を判定する画像方向形状判定手段とを有するサーバと、
画像を表示する画像表示手段と、前記画像を表示する表示領域の方向又は形状の少なくとも一方を判定する表示領域方向形状判定手段と、前記サーバからの画像の方向又は形状の少なくとも一方を判定する画像方向形状判定手段と、前記表示領域の方向又は形状と、前記サーバからの画像の方向又は形状とを比較する比較手段と、前記サーバからの複数の画像の中から、比較結果に基づき表示する画像を選択する選択手段とを有する端末とで構成され、
前記サーバから前記端末に画像を送る際に、前記画像の形状及び方向の判定結果を前記前記サーバから前記端末に画像を送ることを特徴とする画像提示システム。
【請求項１５】
複数の画像を蓄積する画像記憶手段と、前記画像記憶手段の画像の方向又は形状の少なくとも一方を判定する画像方向形状判定手段と、画像を表示する表示領域の方向又は形状の少なくとも一方を判定する表示領域方向形状判定手段と、前記表示領域の方向又は形状と、前記画像記憶手段の画像の方向又は形状とを比較する比較手段と、前記サーバからの複数の画像の中から、比較結果に基づき送信する画像を選択する選択手段とを有するサーバと、
画像を表示する画像表示手段と、前記画像を表示する表示領域の方向又は形状の少なくとも一方を判定する表示領域方向形状判定手段とを有する端末とから構成され、
前記サーバから前記端末に画像を送る際に、前記端末から前記サーバに画像表示領域の形状及び方向の判定結果を送ることを特徴とする画像提示システム。
【請求項１６】
蓄積された複数の画像を読み出して提示する画像提示プログラムにおいて、
前記画像を表示する表示領域の方向又は形状の少なくとも一方を判定するステップと、
前記蓄積された画像の方向又は形状の少なくとも一方を判定するステップと、
前記表示領域の方向又は形状と、前記蓄積された画像の方向又は形状とを比較するステップと、
前記複数の画像の中から、比較結果に基づき表示する画像を選択するステップと
を含むことを特徴とする画像提示プログラム。
【発明の詳細な説明】
【技術分野】
【０００１】
本発明は、異なる置き方で設置できる表示領域に、方向や形状の異なる画像を表示させる場合の画像提示方法、画像提示装置、画像提示システム、画像提示プログラムに関する。
【背景技術】
【０００２】
ディジタルカメラで撮影した写真の画像をコンピュータ上に蓄積し、必要に応じて興味ある写真を選択し、コンピュータ上に表示・再生するためのソフトウェアが数多く販売されている。また、個人で撮影した写真の画像をサーバに蓄積し、ブラウザ経由で閲覧・共有するサービスも数多く提供されている。更に、画像を蓄積し、表示・再生するための専用の装置も数多く販売されている。このようなソフトウェア、サービス、及び専用の装置では、蓄積した複数の写真をスライドショーにて連続的に提示することも一般的に行われている。
【０００３】
しかしながら、このような従来のソフトウェア、サービス、及び専用の装置では、天地方向が揃っていない画像に対して天地方向がずれたままの状態で表示されることが多い。その結果、人物を撮影した写真が横向きに表示されたり、空が下向きの画像が表示されたりする事態が生じ、利用者にとっては画像閲覧を楽しむ上で大きな障害になる。天地方向を揃えるためには、通常、利用者が一枚毎に画像を指定して回転させ、天地方向を揃えるのが一般的である。
【０００４】
これに対し、スキャナで読み取られた図面やカメラで撮影された写真を画像内容やセンサ出力を解析することにより、天地方向を判定し、画像を回転させることにより天地方向を揃えるための装置が種々提案されている。
【０００５】
例えば、特許文献１には、スキャナで読み取られた画像に、この画像の形成方向に対応したマークを付加してメモリに蓄積し、この画像の読み出し時にこのマークを識別し、その識別結果に応じて画像を回転させて天地方向を揃える処理を行うものが記載されている。
【０００６】
また、特許文献２には、画像内容を解析して自動的に天地方向を判定して画像を回転させ、天地方向を揃えるものが記載されている。特許文献２では、スキャナにより読み込まれた画像に対し、文字認識処理を施し天地方向を判断し、それにより判別した縦横に基づき画像を回転させて天地方向を一方向に揃えることを実現している。
【０００７】
また、カメラにより撮影された写真画像に関しては、特許文献３に、ジャイロセンサ等のセンサを利用して、カメラの傾き角度を電気的に検出して、カメラの傾き補正を迅速に行うカメラが記載されている。
【０００８】
また、特許文献４では、カメラで撮影した顔画像に基づいて、端末に対するユーザの顔画像の上下方向を判断し、顔画像の上下方向に応じて表示画面の上下方向を制御することにより、ユーザの姿勢や使い方、携帯端末装置の持ち方に依存せずに表示方向を顔画像の上下方向に合わせるものが記載されている。
【特許文献１】特開昭６３−０８５９７２号公報
【特許文献２】特開平８−３３６０３８号公報
【特許文献３】特開２００４−２２８６８８号公報
【特許文献４】特開２００８−１７７８１９号公報
【発明の開示】
【発明が解決しようとする課題】
【０００９】
スライドショーのように、蓄積された画像を連続して表示させる場合、画像の天地方向が統一されていないこと、画面が乱れ、画像の閲覧を楽しむことができない。画像を指定して回転させることにより、手動にて天地方向を表示画面と合わせて表示させることはできるが、利用者が天地方向を合わせる作業は大変である。
【００１０】
一方、特許文献１〜特許文献４に示されるように、画像の天地方向を判定し、天地方向を合わせるように自動的に回転させる方法では、毎回手動で画像を回転させて天地方向を合わせる手間はなくなる。ところが、この場合、画像及び表示領域を考慮していないため、画像の表示サイズが画像毎に大きく異なってしまう、あるいは画像によっては小さく表示されてしまうなどの問題がある。
【００１１】
例えば、図１８（Ａ）に示すような縦長形状の表示部に、図１８（Ｂ）に示すような横長画像を表示させる場合、特許文献１〜特許文献４に示されるような画像処理を行うと、図１８（Ｃ）に示すように、画像が小さくなってしまう、又は、図１８（Ｄ）に示すように、画像が歪んでしまう。
【００１２】
また、特許文献１〜特許文献４に示されるように、画像の天地方向を判定し、天地方向を合わせるように自動的に回転させる方法では、ＣＰＵ（Ｃｅｎｔｒａｌ  Ｐｒｏｃｅｓｓｉｎｇ  Ｕｎｉｔ）の負担が大きい。特に、蓄積した複数の写真をスライドショーにて連続的に提示するような場合に、天地方向を合わせるように自動的に回転される処理を行うと、ＣＰＵの負担が非常に大きくなり、スムーズな連続再生を行うことが難しい。
【００１３】
上述の課題を鑑み、本発明は、異なる置き方で設置できる表示領域に、方向や形状の異なる画像を連続的に表示させる場合に、個々の画像を縮小させたり、変形させたりすることなく、画像の天地方向と表示領域の天地方向とを一致させることができるようにした画像提示方法、画像提示装置、画像提示システム、画像提示プログラムを提供することを目的とする。
【課題を解決するための手段】
【００１４】
上述の課題を解決するために、本発明は、蓄積された複数の画像を読み出して提示する画像提示方法において、蓄積された画像を表示する表示領域の方向又は形状の少なくとも一方を判定し、蓄積された画像の方向又は形状の少なくとも一方を判定し、表示領域の方向又は形状と、蓄積された画像の方向又は形状のうちの少なくとも一方とを比較し、蓄積された複数の画像の中から、比較結果に基づき表示する画像を選択することを特徴とする画像提示方法である。
【００１５】
本発明は、蓄積された複数の画像を読み出して提示する画像提示装置において、複数の画像を蓄積する画像記憶手段と、画像を表示する表示領域の方向又は形状の少なくとも一方を判定する表示領域方向形状判定手段と、蓄積された画像の方向又は形状の少なくとも一方を判定する画像方向形状判定手段と、表示領域の方向又は形状と、蓄積された画像の方向又は形状とを比較する比較手段と、蓄積された複数の画像の中から、比較結果に基づき表示する画像を選択する選択手段とを備えたことを特徴とする画像提示装置である。
【００１６】
本発明は、複数の画像を蓄積する画像記憶手段を有するサーバと、画像を表示する画像表示手段と、画像を表示する表示領域の方向又は形状の少なくとも一方を判定する表示領域方向形状判定手段と、サーバからの画像の方向又は形状の少なくとも一方を判定する画像方向形状判定手段と、表示領域の方向又は形状と、サーバからの画像の方向又は形状とを比較する比較手段と、サーバからの複数の画像の中から、比較結果に基づき表示する画像を選択する選択手段とを有する端末とで構成されることを特徴とする画像提示システムである。
【００１７】
本発明は、複数の画像を蓄積する画像記憶手段と、画像記憶手段の画像の方向又は形状の少なくとも一方を判定する画像方向形状判定手段とを有するサーバと、画像を表示する画像表示手段と、画像を表示する表示領域の方向又は形状の少なくとも一方を判定する表示領域方向形状判定手段と、サーバからの画像の方向又は形状の少なくとも一方を判定する画像方向形状判定手段と、表示領域の方向又は形状と、サーバからの画像の方向又は形状とを比較する比較手段と、サーバからの複数の画像の中から、比較結果に基づき表示する画像を選択する選択手段とを有する端末とで構成され、サーバから端末に画像を送る際に、画像の形状及び方向の判定結果をサーバから端末に画像を送ることを特徴とする画像提示システムである。
【００１８】
本発明は、複数の画像を蓄積する画像記憶手段と、画像記憶手段の画像の方向又は形状の少なくとも一方を判定する画像方向形状判定手段と、画像を表示する表示領域の方向又は形状の少なくとも一方を判定する表示領域方向形状判定手段と、表示領域の方向又は形状と、画像記憶手段の画像の方向又は形状とを比較する比較手段と、サーバからの複数の画像の中から、比較結果に基づき送信する画像を選択する選択手段とを有するサーバと、画像を表示する画像表示手段と、画像を表示する表示領域の方向又は形状の少なくとも一方を判定する表示領域方向形状判定手段とを有する端末とから構成され、サーバから端末に画像を送る際に、端末からサーバに画像表示領域の形状及び方向の判定結果を送ることを特徴とする画像提示システムである。
【００１９】
本発明は、蓄積された複数の画像を読み出して提示する画像提示プログラムにおいて、画像を表示する表示領域の方向又は形状の少なくとも一方を判定するステップと、蓄積された画像の方向又は形状の少なくとも一方を判定するステップと、表示領域の方向又は形状と、蓄積された画像の方向又は形状とを比較するステップと、蓄積された複数の画像の中から、比較結果に基づき表示する画像を選択するステップとを含むことを特徴とする画像提示プログラムである。
【発明の効果】
【００２０】
本発明によれば、連続再生を行う場合、保存されている画像の天地方向及び縦長／横長の形状と、表示領域の天地方向及び縦長／横長の形状とを比較して、天地方向及び縦長／横長の形状が合致する画像を選択し、選択した画像のみを表示するようにしている。これにより、個々の画像が小さくなったり、変形されたりすることなく、天地方向を合わせてスライドショーなどの連続再生を実現するとができる。
【００２１】
また、本発明によれば、画像の回転処理を行うことなく、天地方向の同一の画像のみを連続再生することができる。これにより、ＣＰＵの負荷を下げることができ、ＣＰＵとして処理能力の低いものを用いても、スライドショーのような連続再生を実現できる。
【発明を実施するための最良の形態】
【００２２】
以下、本発明の実施の形態について図面を参照しながら説明する。
＜第１の実施形態＞
図１は、本発明の第１の実施形態の画像提示装置１の一例の外観構成を示すものである。この画像提示装置１は、ディジタルカメラ等で撮影した画像表示して提示するもので、ディジタルフォトフレームと呼ばれているものである。
【００２３】
図１において、画像提示装置１は、筐体１１で覆われており、筐体１１の前面には、図１（Ａ）に示すように、所定のアスペクト比の長方形の液晶ディスプレイ１２が埋め込まれている。なお、ここでは液晶ディスプレイ１２を用いているが、プラズマディスプレイや有機ＥＬ（Ｅｌｅｃｔｒｏ  Ｌｕｍｉｎｅｓｃｅｎｃｅ）ディスプレイを用いても良い。
【００２４】
画像提示装置１の筐体１１の裏面には、図１（Ｂ）に示すように、メモリカードを挿入するためのメモリスロット１３が設けられている。メモリカードとしては、各種の規格のものが適用可能である。また、筐体１１の裏面には、電源のオン／オフ、スライドショー、提示時間等の各種の設定を行うための操作部１４が配設されている。また、筐体１１の裏面には、設置補助具１５が取り付けられている。この設置補助具１５は、筐体１１の裏面に回動自在に取り付けられており、この設置補助具１５の向きを変えることで、画像提示装置１の設置方向を変えることができる。また、筐体１１の裏面からは、電源コード１６が導出されている。
【００２５】
本発明の第１の実施形態においては、図１（Ａ）に示すように、画像提示装置１の筐体１１の４つの側面Ａ〜Ｄには、それぞれ、センサ１７ａ〜１７ｄが取り付けられている。これらのセンサ１７ａ〜１７ｄは、画像提示装置１の設置方向を検出するものである。
【００２６】
図２は、本発明の第１の実施形態の画像提示装置１の一例の内部構成を示すものである。
【００２７】
図２において、ＣＰＵ２１は、予め定められたプログラムの実行を行う。ＣＰＵ２１には、操作部１４から入力が与えられる。操作部１４の操作により、電源のオン／オフ、スライドショー、提示時間等の各種の設定を行うことが設定できる。
【００２８】
内部メモリ２５は、外部から取り込んだ多数の画像データを蓄積するための大容量メモリである。内部メモリ２５としては、ハードディスク、フラッシュメモリ等が用いられる。内部メモリ２５は、画像のみを蓄積する形態であっても良いし、画像と関連するキーワード・タイトルなどの属性情報を記録するデータベース等を有する形式であっても良い。
【００２９】
画像処理部２６は、画像データのデコード処理を行うものである。なお、画像の符号化方式としては、ＪＰＥＧ、ＪＰＥＧ２、ＴＩＦＦ等、どのような方式であっても良い。画像処理部２６でデコードされた画像は、表示ドライバ２９を介して、液晶ディスプレイ１２に送られ、液晶ディスプレイ１２に表示される。なお、画像データのデコード処理は、ＣＰＵ２１により行っても良い。
【００３０】
メモリカードリーダ２７は、メモリスロット１３に装着されたメモリカード２８の読み取りを行う。メモリカード２８としては、各種の方式のものが知られているが、どのような方式のものを用いても良い。
【００３１】
前述したように、本発明の第１の実施形態の画像提示装置１の筐体１１の裏面には、設置補助具１５が取り付けられている。本発明の第１の実施形態の画像提示装置１を使用する場合には、利用者は、設置補助具１５を用いて、画像提示装置１を設置する。この設置補助具１５の方向を変えることで、画像提示装置１の設置方向を変えることができる。
【００３２】
画像提示装置１を設置すると、画像提示装置１の側面Ａ〜Ｄに配置されたセンサ１７ａ〜１７ｄのうちのどれかが設置面と接触する。これにより、画像提示装置１の設置方向が検出される。例えば、センサ１７ｃの検出出力がオンで、他のセンサの検出出力がオフなら、センサ１７ｃのある側面Ｃが地側で、これと対向するセンサ１７ａのある側面Ａが天側となるように設置されている。なお、画像提示装置１の側面Ａ〜Ｄにセンサ１７ａ〜１７ｄを配置する代わりに、ジャイロセンサ等の重力センサを用いて、画像提示装置１の設置方向を検出しても良い。
【００３３】
操作部１４の操作により、内部メモリ２５又はメモリカード２８に保存されている画像の中から所望の画像を指定すると、内部メモリ２５又はメモリカード２８から画像データが読み取られる。この画像データは、画像処理部２６に送られ、画像データが展開される。そして、この画像データは、表示ドライバ２９を介して、液晶ディスプレイ１２に表示される。
【００３４】
また、操作部１４の操作により、スライドショーに設定されると、内部メモリ２５又はメモリカード２８に保存されている画像が連続して読み出され、液晶ディスプレイ１２に表示される。
【００３５】
このようなスライドショーを行う場合、本発明の第１の実施形態では、画像の天地方向及び縦長／横長の形状と、表示領域の天地方向及び縦長／横長の形状とを比較して、天地方向及び縦長／横長の形状が合致する画像を選択し、選択した画像のみを表示するようにしている。これにより、連続再生される画像の天地方向と表示領域の天地方向とを一致させることができる。また、連続再生される画像の縦長／横長の形状と表示領域の縦長／横長の形状とを一致させることができるので、画像が小さくなったり、変形されたりすることがない。
【００３６】
つまり、画像提示装置１の設置方向には、図３（Ａ）〜図３（Ｄ）に示すように、側面Ａが天側となる置き方と、側面Ｂが天側となる置き方と、側面Ｃが天側となる置き方と、側面Ｄが天側となる置き方との４つの方向の置き方がある。図３（Ａ）及び図３（Ｃ）に示すように、短辺側の側面Ａが天側となる置き方と側面Ｃが天側となる置き方の場合には、縦長の形状である。図３（Ｂ）及び図３（Ｄ）に示すように、長辺側の側面Ｂが天側となる置き方と側面Ｄが天側となる置き方の場合には、横長の形状である。
【００３７】
一方、画像には、図４（Ａ）〜図４（Ｈ）に示すように、天側が上となる方向で縦長の形状の画像（図４（Ａ））と横長の形状の画像（図４（Ｂ））があり、天側が左となる方向で縦長の形状の画像（図４（Ｃ））と横長の形状の画像（図４（Ｄ））があり、天側が下となる方向で縦長の形状の画像（図４（Ｅ））と横長の形状の画像（図４（Ｆ））があり、天側が右となる方向で縦長の形状の画像（図４（Ｇ））と横長の形状の画像（図４（Ｈ））がある。
【００３８】
なお、ここで天地方向という記述を用いたが、天方向とは、図５に示すように、通常画像を閲覧する際に上となることが望ましい方向を指しても良く、例えば、机の上に置かれた看板などでは、どちらの方向も天を向いているわけではないが、看板の文字が読める本来上となる方向を天方向とみなしてよい。航空写真など、天方向を一意に定める必要がない画像に関しては、天方向はなしと判定しても良い。また、地方向は、通常画像を閲覧する際に下となることが望ましい方向と指しても良い。また、ここで縦長／横長とは、天地方向に対して垂直方向の長さが水平方向の長さよりも長い長方形を縦長とし、天地方向に対して水平方向の長さが垂直方向の長さよりも長い長方形を横長と称する。
【００３９】
スライドショーを行うときには、例えば、画像提示装置１の設置方向が図３（Ａ）に示すようになっている場合には、表示領域の天側が上で縦長の形状なので、図４（Ａ）に示すような天側が上で縦長の形状の画像のみが選択されて、連続再生される。
【００４０】
次に、上述の本発明の第１の実施形態における画像提示処理について詳述する。
【００４１】
図６は、上述のような処理を行うための機能ブロック図を示している。図６において、画像記憶部１０１は、図２の内部メモリ２５やメモリカード２８に対応する。この画像記憶部１０１には、複数の画像が記憶されている。この画像の天地方向及び形状には、図４（Ａ）〜図４（Ｈ）に示したように様々なものがある。
【００４２】
画像表示部１０６は、図２の液晶ディスプレイ１２に対応する。この画像表示部１０６の表示領域の設置方向は、図３（Ａ）〜図３（Ｄ）に示したような、４つの方向がある。
【００４３】
画像方向形状判定部１０２は、画像記憶部１０１から画像を読み込み、この画像の天地方向及び縦長／横長の形状とを判定する。画像方向形状判定部１０２は、図２のＣＰＵ２１のプログラムで実現される。画像記憶部１０１から読み出された画像の天地方向及び縦長／横長の形状は、搭載されたプログラムにより導出して出力するように動作しても良い。また、利用者による入力や、写真撮影時のジャイロセンサ等を利用して画像における天地方向が導出されて、記憶されているような場合には、該当するファイルから必要情報を読み出して、天地方向及び縦長／横長の形状を出力するようにしても良い。また、専用のＣＰＵを設け、この専用のＣＰＵで画像方向形状判定部１０２を実現しても良い。また、利用者の指示により画像の方向及び形状を判定しても良い。
【００４４】
表示領域方向形状判定部１０３は、画像表示部１０６の表示領域の天地方向及び縦長／横長の形状を判定する。表示領域の天地方向は、画像提示装置１の側面Ａ〜Ｄに配置されたセンサ１７ａ〜１７ｄからの検出出力から検知し、判定できる。また、表示デバイスに付随するジャイロセンサのような重力方向を検知するセンサの出力で判定しても良い。ジャイロセンサを用いた場合には、画像表示部１０６が特定の方向を向いているときのジャイロセンサの出力と縦辺及び横辺の画素数の情報を蓄積しておき、これと測定時のジャイロセンサとの値の差分から、この時点での天側と縦辺及び横辺の値を導出することができる。
【００４５】
比較部１０４は、画像表示部１０６の表示領域の天地方向及び縦長／横長の形状と、画像記憶部１０１から読み出される画像の天地方向及び縦長／横長の形状とを比較するものである。比較部１０４は、ＣＰＵ２１のプログラムで実現される。また、専用のＣＰＵを設け、この専用のＣＰＵで比較部１０４を実現しても良い。
【００４６】
画像選択部１０５は、比較部１０４により導出された天地方向及び縦長／横長の形状の比較結果に基づき、合致する画像を選択するものである。画像選択部１０５は、ＣＰＵ２１のプログラムで実現される。また、専用のＣＰＵを設け、この専用のＣＰＵで画像選択部１０５を実現しても良い。
【００４７】
画像表示部１０６は、前述したように、液晶ディスプレイ１２に対応する。画像表示部１０６は、スライドショーのように、連続再生を行う場合には、画像選択部１０５により、画像記憶部１０１の画像のうち、画像表示部１０６の表示領域の天地方向及び縦長／横長の形状と合致するものだけが選択されて、表示されることになる。
【００４８】
図７は、表示領域の天地方向及び縦長／横長の形状の検知処理の一例を示すフローチャートである。
【００４９】
図７において、電源が投入されると（ステップＳ１０１）、表示領域方向形状判定部１０３は、装置に付与されたセンサ１７ａ〜１７ｄの検出出力の読み込みを行う（ステップＳ１０２）。表示領域方向形状判定部１０３は、センサ１７ａ〜１７ｄの検出出力から、表示領域の天地方向及び縦長／横長の形状を判別する（ステップＳ１０３）。表示領域方向形状判定部１０３は、一例として、予め用意した対応表から、天地方向及び縦長／横長の形状を判定する。表示領域の天地方向及び縦長／横長の形状を判定するセンサは、図３に示したような設置面を検出する方式のものであっても良いし、ジャイロセンサであっても良い。
【００５０】
図８は、センサ出力と天地方向及び縦長／横長の形状との対応関係を示した対応表の一例である。図８では、筐体１１の側面Ａ〜Ｄにそれぞれ設置されたセンサ１７ａ〜１７ｄが、設置方向を出力する。図８では、センサ１７ｃがオンを出力している。この場合、デフォルトの上が天側となっているため、天側はＮ（北の意味）で、形状は縦長であると判定できる。センサ１７ｄがオンを出力している場合、デフォルトの上は左側（地図でいう西方向）になり、横長の画面になり、表から、Ｗ、横長が選択される。図８は、４つの側面Ａ〜Ｄに配置されたセンサ１７ａ〜１７ｄを使った例を示したが、ジャイロセンサなどを利用した場合も同様である。また、センサを使わずに、利用者が手動にて、天側と形状を入力する形式でも良い。
【００５１】
表示領域方向形状判定部１０３は、判断結果に基づいて、表示領域の天地方向及び縦長／横長の形状の出力を更新する（ステップＳ１０４）。そして、処理を終了するかどうかを判断する（ステップＳ１０５）。電源がＯＦＦされるなど、処理を終了する場合は、終了する。
【００５２】
処理を終了しない場合は、センサの状態変化を検知したかどうかを判断する（ステップＳ１０６）。センサの状態変化を検知した場合は、ステップＳ１０２に戻り、再度センサ１７ａ〜１７ｄ出力の読み込みを行い、同様の手順で、天地方向及び縦長／横長の形状の出力の更新を行う。
【００５３】
図９は、スライドショーのような連続再生時に、画像記憶部１０１の中から表示すべき画像を選択するまでの処理フローチャートの一例を示している。
【００５４】
図９において、画像選択部１０５は、画像記憶部１０１から表示すべき候補画像を選択する（ステップＳ２０１）。選択に際しては、画像に別途付与されたキーワードを用いても良いし、画像の登録年月日などの書誌情報を利用したものであっても良い。また、画像記憶部１０１に蓄積されているすべての画像を候補画像としても良い。画像選択部１０５は選択した画像に対して、方向及び形状に基づく表示判断を行うために候補画像の情報を画像方向形状判定部１０２に出力する。
【００５５】
画像方向形状判定部１０２は、画像を選択すると（ステップＳ２０２）、画像の天地方向及び縦長／横長の形状を判定する（ステップＳ２０３）。判定の一例として、画像解析により、画像中に存在する人物の上下方向を判定し、画像の天地方向を判定する。また、ジャイロセンサが搭載されたカメラで撮影した場合には、カメラに搭載されたジャイロセンサにより、撮影時の天地方向を検知して、画像属性情報（ｅｘｉｆ情報）として出力し保存し、出力された属性情報を読み込むことによって、天地方向を検知しても良い。更に、利用者が写真毎に天地方向を属性情報として入力し、画像方向形状判定部１０２は、この属性情報を読み出すことによって天地方向の判定を行っても良い。画像処理により天地方向の検出を行う場合、人物（顔）の上下判定を用いるほかに、画像中に映っている文字情報の上下判定を利用する方法や、空、海などの自然物を利用する方法、そのほか東京タワーなどの上下が既知の物体を認識することにより行う方法などが考えられる。天地方向が決まれば、天側を上にした際の画像の縦辺及び横辺の値を読み込むことにより、縦長又は横長の形状の判定を行うことができる。
【００５６】
なお、画像の形状は、所定のアスペクト比の長方形画像であるとは限らない。画像の形状が自由形状の場合には、縦長又は横長の判定は、画像の外接四角形の縦辺及び横辺の長さに基づいて行う。
【００５７】
次に、表示領域方向形状判定部１０３は、表示領域の天地方向及び縦長／横長の形状を判定する（ステップＳ２０４）。表示領域の天地方向及び縦長／横長の形状の検知の処理の一例は、図７に示したとおりである。表示領域の天地方向及び縦長／横長の形状の情報の取得は、図７に示したような処理により出力された表示領域の天地方向及び縦長／横長の形状の情報のファイルを読み込むことで実現してよい。
【００５８】
比較部１０４は、画像方向形状判定部１０２より候補画像の天地方向及び縦長／横長の形状の情報と、表示領域方向形状判定部１０３からの表示領域の天地方向及び縦長／横長の形状の情報とを受け取り、双方の比較を行う（ステップＳ２０５）。
【００５９】
画像選択部１０５は、比較部１０４より比較結果を受け取り、画像の選択又は非選択の判定を行う（ステップＳ２０６）。
【００６０】
画像選択の一例として、比較結果の対応表を保持し、対応に基づいて選択する方法がある。図１０は対応関係の一例である。図１０では、形状（天側を上にしたときの縦長／横長）と天側（Ｎ／Ｅ／Ｓ／Ｗ）が一致しているとき画像の選択を行い、一致していないときには選択を行わない。方向が一意に決まらない画像は、表示領域がどの方向であっても「一致」と判定し、形状が一意に決まらない（縦と横の長さの差が予め定めたあたいより少ない）場合に、表示領域の形状にかかわらず一致と判定する。設定によってはどちらにも決まらない場合に、不一致とする設定を採用しても良い。
【００６１】
画像選択部１０５は、画像を選択するかどうかを判断し（ステップＳ２０７）、判定の結果、候補画像を表示する場合には、候補リストに追加を行う（ステップＳ２０８）。そして、次の画像があるかどうかを判断し（ステップＳ２０９）、次の画像がある場合には、ステップＳ２０３に戻り、上述の処理を予め選択した画像が終了するまで継続する。
【００６２】
以上説明したように、本発明の第１の実施形態によれば、スライドショーのような連続再生を行う場合、保存されている画像の天地方向及び縦長／横長の形状と、表示領域の天地方向及び縦長／横長の形状とを比較して、天地方向及び縦長／横長の形状が合致する画像を選択し、選択した画像のみを表示するようにしている。これにより、連続再生される画像の天地方向及び縦長／横長の形状を一致させることができる。また、表示領域の形状に応じて表示に適した画像を選択することができるので、利用者は、表示領域を効果的に利用できるような画像のみを再生するなど、表示領域を活かしたスライドショーが実現できるようになり、天地方向を筐体の表示領域の天地方向と一致させるとともに、個々の画像が小さくなったり、変形されたりすることなく、スライドショーなどの連続再生を実現するとができる。
【００６３】
また、本発明の第１の実施形態では、画像の回転処理を行うことなく、天地方向の同一の画像のみを連続再生することができる。これにより、画像提示時のＣＰＵ２１の負荷を下げることができ、ＣＰＵ２１として処理能力の低いものを用いても、スライドショー機能を提供できるという別の効果を得ることができる。更に、意図的にＥ方向とＷ方向あるいはＮ方向とＳ方向に別々の画像を割り当てておくことにより、利用者が表示筐体の方向を変えるだけで、表示する画像を選択できるという別の効果を得ることもできる。
【００６４】
なお、画像表示部１０６は、ディスプレイ装置のように据置型のものであっても良いし、携帯電話のディスプレイのように、端末タイプのものであっても良い。液晶ディスプレイのように表示専用装置であっても良いし、ＣＰＵ一体型ディスプレイや携帯電話、ビューワ付ディジタルカメラのように、他の機能が混在した機器であっても良い。
【００６５】
また、上述の実施形態では、画像表示部１０６の設置方向は、上下左右４方向であったが、縦横の２方向としても良い。
【００６６】
＜第２の実施形態＞
次に本発明を第２の実施形態について説明する。なお、この第２の実施形態の構成は、第１の実施形態と同一であり、その説明は省略する。
【００６７】
前述の第１の実施形態では、図１０に示したように、画像の各々の天地方向及び縦長／横長の形状と、表示領域の天地方向及び縦長／横長の形状との一致、不一致を判定していた。
【００６８】
この第２の実施形態では、図１１に示すように、縦長／横長の形状にかかわらず、天地方向が一致している画像は選択し、天地方向が一致していない画像は非選択とするストラテジーを採用する。実際の導出仮定では、形状に関しては評価を行わないため、形状に関する情報抽出は行わなくても良い。
【００６９】
図１１のような判定基準を採用することにより、画像表示では、画像の回転処理を行うことなく、同一の天地方向の画像のみを連続再生することができる。これにより、画像提示時のＣＰＵの負荷を更に下がることができ、ＣＰＵの低い装置でも、スライドショー機能を提供できるという効果を加えることができる。更に、意図的にＥ方向とＷ方向あるいはＮ方向とＳ方向に別々の画像を割り当てておくことにより、利用者が表示筐体の方向を変えるだけで、表示する画像を選択できるという別の効果を得ることもできる。
【００７０】
＜第３の実施形態＞
次に本発明の第３の実施形態について、図面を参照にて説明する。図１２が第３の実施形態の構成図である。この第３の実施形態は、画像記憶部３０１と、画像方向形状検知部３０２と、表示領域方向形状検知部３０３と、比較部３０４と、画像選択判定部３０５と、画像表示部３０６と、画像回転部３０７とから構成される。画像記憶部３０１と、画像方向形状検知部３０２と、表示領域方向形状検知部３０３と、比較部３０４と、画像表示部３０６は、第１の実施形態における、画像記憶部１０１と、画像方向形状判定部１０２と、表示領域方向形状判定部１０３と、比較部１０４と、画像表示部１０６と同一であるため、その説明は省略する。
【００７１】
この第３の実施形態では、更に、画像選択判定部３０５は、一例として、予め定められたルールにて動作するプログラムを搭載したＣＰＵである。比較部３０４により導出された天地方向ならびに形状の比較結果に基づき、合致する画像を選択した上で、画像を回転させるかどうかの判定を行うように動作する。ＣＰＵは専用のＣＰＵであっても、他の構成要素と共通のＣＰＵであってもかまわない。
【００７２】
画像回転部３０７は、一例として予め定められたルールにて動作するプログラムを搭載したＣＰＵであり、画像選択判定部３０５により回転が指示された画像に対して画像の回転を行う。
【００７３】
図１３は、画像選択判定部３０５の判定の基準の一例である。図１３に示すように、形状が一致している画像をすべて選択し、その上で、方向が異なっている場合は、画像回転部３０７が画像の回転を行い、画像表示部３０６には方向を一致させた画像の提示を行う。
【００７４】
以上のような構成をとることにより、蓄積された画像に縦長画像と横長画像及び天地方向の異なる画像が混在していたとしても、天地方向を表示領域の天地方向と一致させるとともに、個々の画像が小さくなったり、変形されたりすることなく、スライドショーなどの連続再生を実現することができる。
【００７５】
＜第４の実施形態＞
次に本発明の第４の実施形態について説明する。図１４は本発明に第４の実施形態の構成図である。この第４の実施形態は、画像記憶部４０１と、画像方向形状検知部４０２と、表示領域方向形状検知部４０３と、比較部４０４と、画像選択判定部４０５と、画像表示部４０６と、画像回転部４０７と、ユーザ設定入力部４０８と、ユーザ設定記憶部４０９から構成される。画像記憶部４０１と、画像方向形状検知部４０２と、表示領域方向形状検知部４０３と、比較部４０４と、画像選択判定部４０５と、画像表示部４０６と、画像回転部４０７は、第３の実施形態における、画像記憶部３０１と、画像方向形状検知部３０２と、表示領域方向形状検知部３０３と、比較部３０４と、画像選択判定部３０５と、画像表示部３０６と、画像回転部３０７と同一であるため、その説明は省略する。
【００７６】
この第４の実施形態では、第３の実施形態に加えて、画像選択の基準を利用者が入力するためのユーザ設定入力部４０８と、ユーザの設定した値を記憶するユーザ設定記憶部４０９を更に備える。
【００７７】
ユーザ設定入力部４０８は、キーボード、マウス、タッチパネルなどの入力機器と、入力機器をサポートするためのプログラムを搭載したＣＰＵである。ＣＰＵは専用のＣＰＵであっても、他の構成要素と共通のＣＰＵであってもかまわない。
【００７８】
ユーザ設定記憶部４０９は、ユーザ設定入力部４０８で入力した設定事項を記憶する。一例として、ハードディスク・フラッシュメモリなどの記憶装置がある。専用の蓄積装置であっても、他の蓄積装置との兼用であってもかまわない
【００７９】
画像選択判定部４０５は、比較部４０４の比較結果及びユーザ設定記憶部４０９に記憶するユーザの設定事項を参照して、画像をそのまま表示するか、回転して表示するかを決定するプログラムを搭載したＣＰＵである。ＣＰＵは専用のＣＰＵであっても、他の構成要素と共通のＣＰＵであってもかまわない。
【００８０】
ユーザはユーザ設定入力部４０８を通じて、採用すべきストラテジーを選択する。一例として、図１０、図１１、図１３のいずれかを採用するかを決定する。また、ユーザは更に細かく、例えば、縦長、横長になる場合の縦辺と横辺の長さの差を定義や、縦長、横長のどちらにもならない際の振る舞いについて記載しても良い。また、天地の方向が判定し難い又は天地の方向が存在しない場合の振る舞いを定義しても良い。通常、ユーザ設定では、画像を連続的に再生する際の一枚あたりの提示時間や視覚効果などを指定できるが、ユーザ設定入力はこのような一般的な表示に対するユーザ設定と一緒に設定できるようにしても良い。画像選択判定部４０５は、ユーザ設定記憶部４０９に記憶するユーザの設定事項を参照し、選択、非選択、回転して表示（選択）などの動作を行い、画像表示部４０６は選択又は処理された画像を表示する。
【００８１】
以上のような構成をとることにより、蓄積された画像に縦長画像と横長画像及び、異なる天地方向の画像が混在していたとしても、天地方向を筐体の表示領域の天地方向と一致させるとともに、個々の写真が大きく表示されるようにスライドショーなどの連続再生を実現することができ、本発明の目的を達成することができる。また、このような構成をとることにより、よりきめ細かにユーザは装置の振る舞いを設定することができる。
【００８２】
＜第５の実施形態＞
図１５は、本発明の第５の実施形態を示すものである。前述までの実施形態では、表示装置内部の記憶部に画像を記憶して、表示している。これに対して、この実施形態では、画像を蓄積したサーバ５５１と、サーバ５５１の画像をネットワーク網５５３を介してダウンロードして表示する端末５５２とからなるサーバ／クライアントシステムで構成されている。サーバ５５１と端末５５２との間は、ネットワーク網５５３を介して接続されている。
【００８３】
この構成では、サーバ５５１には、画像を蓄積した画像記憶部５０１が設けられる。また、サーバ５５１には、ネットワーク網５５３を介して端末５５２との間で通信を行うための通信部５１０が設けられる。
【００８４】
端末５５２には、ネットワーク網５５３を介してサーバ５５１との間で通信を行うための通信部５１１が設けられる。また、端末５５２には、画像方向形状判定部５０２と、表示領域方向形状判定部５０３と、比較部５０４と、画像選択部５０５と、画像表示部５０６とが設けられる。これら画像方向形状判定部５０２、表示領域方向形状判定部５０３、比較部５０４、画像選択部５０５、画像表示部５０６は、本発明の第１の実施形態における画像方向形状判定部１０２、表示領域方向形状判定部１０３、比較部１０４、画像選択部１０５、画像表示部１０６と同様に構成できる。
【００８５】
以上のような構成とすることで、サーバ５５１の画像記憶部５０１に記憶されている画像をネットワーク網５５３を介して端末５５２でダウンロードして、表示させる際に、サーバ５５１の画像記憶部５０１に保存されている画像の天地方向及び縦長／横長の形状と、画像表示部５０６の表示領域の天地方向及び縦長／横長の形状とを比較部５０４で比較して、天地方向及び縦長／横長の形状が合致する画像を選択し、選択した画像のみを表示することができる。これにより、個々の画像が小さくなったり、変形されたりすることなく、天地方向を合わせてスライドショーなどの連続再生を実現するとができる。
【００８６】
＜第６の実施形態＞
図１６は、本発明の第６の実施形態を示すものである。この実施形態も、前述の第５の実施形態と同様に、画像を蓄積したサーバ６５１と、サーバ６５１の画像をネットワーク網６５３を介してダウンロードして表示する端末６５２とからなるサーバ／クライアントシステムで構成されている。サーバ６５１と端末６５２との間は、ネットワーク網６５３を介して接続されている。
【００８７】
この構成では、サーバ６５１には、画像を蓄積した画像記憶部６０１が設けられる。また、サーバ６５１には、サーバ６５１の画像記憶部６０１の画像の方向及び形状を判定する画像方向形状判定部６０２が設けられている。また、サーバ６５１には、ネットワーク網６５３を介して端末６５２との間で通信を行うための通信部６１０が設けられる。
【００８８】
端末６５２には、ネットワーク網６５３を介してサーバ６５１との間で通信を行うための通信部６１１が設けられる。また、端末６５２には、表示領域方向形状判定部６０３と、比較部６０４と、画像選択部６０５と、画像表示部６０６とが設けられる。これら表示領域方向形状判定部６０３、比較部６０４、画像選択部６０５、画像表示部６０６は、本発明の第１の実施形態における表示領域方向形状判定部１０３、比較部１０４、画像選択部１０５、画像表示部１０６と同様に構成できる。
【００８９】
この実施形態では、サーバ６５１の画像記憶部６０１の画像の方向及び形状は、画像方向形状判定部６０２で判定される。そして、サーバ６５１の画像記憶部６０１の画像が端末６５２にダウンロードされるときに、この画像共に、その画像の方向及び形状の判定結果がサーバ６５１から端末６５２に送られる。比較部６０４で、表示領域の形状と、画像記憶部６０１の画像の方向及び形状とが比較され、この比較結果に応じて、表示領域の方向及び形状と画像の方向及び形状とが合致している画像が選択される。これにより、サーバ６５１の画像記憶部６０１に記憶されている画像をネットワーク網６５３を介して端末６５２でダウンロードして、表示させる際に、サーバ６５１の画像記憶部６０１に保存されている画像の天地方向及び縦長／横長の形状と、画像表示部６０６の表示領域の天地方向及び縦長／横長の形状とを比較して、天地方向及び縦長／横長の形状が合致する画像を選択し、選択した画像のみを表示することができる。
【００９０】
＜第７の実施形態＞
図１７は、本発明の第７の実施形態を示すものである。この実施形態も、前述の第５及び第６の実施形態と同様に、画像を蓄積したサーバ７５１と、サーバ７５１の画像をネットワーク網７５３を介してダウンロードして表示する端末７５２とからなるサーバ／クライアントシステムで構成されている。サーバ７５１と端末７５２との間は、ネットワーク網７５３を介して接続されている。
【００９１】
この構成では、サーバ７５１には、画像を蓄積した画像記憶部７０１と、画像方向形状判定部７０２と、比較部７０４と、画像選択部７０５とが設けられる。これら画像方向形状判定部７０２、比較部７０４、画像選択部７０５は、本発明の第１の実施形態における画像方向形状判定部１０２、比較部１０４、画像選択部１０５と同様に構成できる。また、サーバ７５１には、ネットワーク網７５３を介して端末６５２との間で通信を行うための通信部７１０が設けられる。
【００９２】
端末６５２には、ネットワーク網７５３を介してサーバ７５１との間で通信を行うための通信部７１１が設けられる。また、端末７５２には、表示領域方向形状判定部７０３と画像表示部７０６とが設けられる。表示領域方向形状判定部７０３、画像表示部７０６は、本発明の第１の実施形態における表示領域方向形状判定部１０３、画像表示部７０５と同様に構成できる。
【００９３】
この実施形態では、サーバ７５１の画像記憶部７０１の画像の方向及び形状は、画像方向形状判定部７０２で判定される。また、表示領域の方向及び形状は、端末７５２側の表示領域方向形状判定部７０３で判定される。この端末７５２側の表示領域方向形状判定部７０３で判定された表示領域の方向及び形状の判定結果は、ネットワーク網７５３を介して、サーバ７５１の比較部７０４に送られる。サーバ７５１において、比較部７０４で、表示領域の方向及び形状と、画像の方向及び形状とが比較され、この比較結果に応じて、表示領域の方向及び形状と画像の方向及び形状とが合致している画像が選択される。これにより、サーバ７５１の画像記憶部７０１に記憶されている画像をネットワーク網７５３を介して端末７５２でダウンロードさせる際に、サーバ７５１の画像記憶部７０１に保存されている画像の天地方向及び縦長／横長の形状と、画像表示部７０６の表示領域の天地方向及び縦長／横長の形状とを比較して、天地方向及び縦長／横長の形状が合致する画像を選択し、選択した画像のみがサーバ７５１から端末７５２に送られる。
【００９４】
＜変形例、応用例＞
本発明は、上述した実施形態に限定されるものではなく、本発明の要旨を逸脱しない範囲内で様々な変形や応用が可能である。
【００９５】
例えば、選択する可能性のある画像の表示領域と画像との形状及び方向の関係としては、以下のものがある。
（１）天地方向が合っていて且つ形状が合っている、
（２）天地方向が合っていて形状は合っていない、
（３）天地方向は合っていないが、形状は合っている、
（４）天地方向はあっていないが、画角は合っている
【００９６】
上述の第１の実施形態では、（１）の関係のものを選択することについて説明している。また、（２）の関係のものを選択しても良い。この場合には、天地方向は正しく表示されるが、縦長／横長が異なると、画像が小さく表示されることになる。（３）の関係のものは、第３の実施形態に示したように、画像を回転させて表示できる。（４）の関係のものは、天地方向が９０度ずれている。上述の実施形態では説明していないが、この（４）の関係のもの選択しても良い。
【００９７】
本発明は、インターネット上に写真を蓄積し、利用するという写真蓄積・利用サービスにて適用可能である。この場合には、図１６〜図１７で示したように、インターネット上の写真蓄積サーバとユーザ端末とで、サーバ／クライアント構成となる。
【００９８】
また、本発明は、パーソナルコンピュータにおける写真の閲覧にも利用できる。また、携帯電話や小型端末などにおける写真閲覧機能/画像閲覧機能にも適用ができ、携帯端末や小型端末を高価値化することができる。更に、ディジタル写真フレームなどの写真専用提示機器への適用や、ディジタルカメラのビューワなどにも適用可能である。
【００９９】
更に、結婚式や同窓会など様々なシーンで各自が持ち寄った画像を複数利用者で閲覧するといったサービスでの画像閲覧など、画像又は写真を閲覧するサービスに利用できる。また、本発明は、写真・画像などの静止物だけでなく、ショートクリップなど、動画にも適用できる。
【図面の簡単な説明】
【０１００】
【図１】本発明の第１の実施形態の画像提示装置の外観構成を示す斜視図である。
【図２】本発明の第１の実施形態の画像提示装置の内部構成を示すブロック図である。
【図３】本発明の第１の実施形態の画像提示装置の設置方向の説明図である。
【図４】本発明の第１の実施形態の画像提示装置における画像の方向及び形状の説明図である。
【図５】画像の天地方向の説明図である。
【図６】本発明の第１の実施形態の画像処理の説明に用いる機能ブロック図である。
【図７】本発明の第１の実施形態における表示領域の方向及び形状の検知処理の説明に用いるフローチャートである。
【図８】本発明の第１の実施形態の画像処理におけるセンサ出力と形状との対応表の説明図である。
【図９】本発明の第１の実施形態における連続再生時の画像選択処理の説明に用いるフローチャートである。
【図１０】本発明の第１の実施形態における表示領域の方向及び形状と画像の方向及び形状との比較結果と選択画像との対応表の説明図である。
【図１１】本発明の第２の実施形態における表示領域の方向及び形状と画像の方向及び形状との比較結果と選択画像との対応表の説明図である。
【図１２】本発明の第３の実施形態の画像処理の説明に用いる機能ブロック図である。
【図１３】本発明の第３の実施形態における表示領域の方向及び形状と画像の方向及び形状との比較結果と選択画像との対応表の説明図である。
【図１４】本発明の第４の実施形態の画像処理の説明に用いる機能ブロック図である。
【図１５】本発明の第５の実施形態の画像処理の説明に用いる機能ブロック図である。
【図１６】本発明の第６の実施形態の画像処理の説明に用いる機能ブロック図である。
【図１７】本発明の第７の実施形態の画像処理の説明に用いる機能ブロック図である。
【図１８】天地方向を合わせる処理による問題点の説明図である。
【符号の説明】
【０１０１】
１  画像提示装置
１１  筐体
１２  液晶ディスプレイ
１３  メモリスロット
１４  操作部
１５  設置補助具
１６  電源コード
１７ａ〜１７ｄ  センサ
２１  ＣＰＵ
２５  内部メモリ
２６  画像処理部
２７  メモリカードリーダ
２８  メモリカード
２９  表示ドライバ
１０１  画像記憶部
１０２  画像方向形状検知部
１０３  表示領域方向形状検知部
１０４  比較部
１０５  画像選択部
１０６  画像表示部
３０１  画像記憶部
３０２  画像方向形状検知部
３０３  表示領域方向形状検知部
３０４  比較部
３０５  画像選択判定部
３０６  画像表示部
３０７  画像回転部
４０１  画像記憶部
４０２  画像方向形状検知部
４０３  表示領域方向形状検知部
４０４  比較部
４０５  画像選択判定部
４０６  画像表示部
４０７  画像回転部
４０８  ユーザ設定入力部
４０９  ユーザ設定記憶部
５０１、６０１、７０１  画像記憶部
５０２、６０２、７０２  画像方向形状検知部
５０３、６０３、７０３  表示領域方向形状検知部
５０４、６０４、７０４  比較部
５０５、６０５，７０５  画像選択部
５０６、６０５，７０５  画像表示部
５５１、６５１，７５１  サーバ部
５５２、６５２，７５２  端末
５５３、６５３，７５３  ネットワーク網
【図１】
2010152631.tif 000003
【図２】
2010152631.tif 000004
【図３】
2010152631.tif 000005
【図４】
2010152631.tif 000006
【図５】
2010152631.tif 000007
【図６】
2010152631.tif 000008
【図７】
2010152631.tif 000009
【図８】
2010152631.tif 000010
【図９】
2010152631.tif 000011
【図１０】
2010152631.tif 000012
【図１１】
2010152631.tif 000013
【図１２】
2010152631.tif 000014
【図１３】
2010152631.tif 000015
【図１４】
2010152631.tif 000016
【図１５】
2010152631.tif 000017
【図１６】
2010152631.tif 000018
【図１７】
2010152631.tif 000019
【図１８】
2010152631.tif 000020